(57)【要約】【課題】会議サービス提供方法及びそのコンピュータプログラムを提供する。【解決手段】第１ユーザの端末機から、第２ユーザ及び第３ユーザを構成員にする会議ルームを生成するリクエストを受信するステップと、会議ルーム生成リクエストを受けて、会議ルーム制御部が、第１ユーザないし第３ユーザを構成員にする会議ルームを生成するステップと、通信部が、第１ユーザないし第３ユーザの端末機のうち、少なくとも１人の対話者から臨界ボリューム以上の大きさを有する１以上の音声ファイル、及び対話者の情報を受信するステップと、会議ルーム制御部が、受信した１以上の音声ファイル、及び対話者の情報を併合して会議データを生成するステップと、会議ルーム制御部が、会議データを構成員の端末機に提供するステップと、を含む会議サービス提供方法である。【選択図】図３
2020127216.tif 000002
【特許請求の範囲】
【請求項１】
会議サービス提供サーバが第１ユーザの端末機から、第２ユーザ及び第３ユーザを構成員にする会議ルームを生成する会議ルーム生成リクエストを受信するステップと、
前記会議ルーム生成リクエストを受けて、前記会議サービス提供サーバが、前記第１ユーザないし前記第３ユーザを構成員にする会議ルームを生成するステップと、
前記会議サービス提供サーバが、前記第１ユーザないし前記第３ユーザの端末機のうち、少なくとも１人の対話者の端末機から、臨界ボリューム以上の大きさを有する１以上の音データを含む音声ファイル、及び前記対話者の情報を受信するステップと、
前記会議サービス提供サーバが、前記受信し受信した音声ファイル、及び前記対話者の情報を併合して会議データを生成するステップと、
前記会議サービス提供サーバが、前記会議データを前記構成員の端末機に提供するステップと、を含み、
前記対話者は、
会議ルームの構成員であり、臨界ボリューム以上の大きさを有する音が入力された端末機の所有者である、会議サービス提供方法。
【請求項２】
前記会議ルームを生成するステップは、
前記会議ルーム生成リクエストを受けて、前記会議ルームに係わる会議状態画面を生成し、前記会議状態画面を前記第１ユーザ端末機に提供するステップと、
前記第１ユーザの端末機から、第２ユーザ及び第３ユーザを構成員にする会議ルームを生成する最終生成リクエストを受信するステップと、
前記最終生成リクエストを受けて、前記第１ユーザないし前記第３ユーザを構成員にする会議ルームを生成するステップと、を含み、
前記会議状態画面は、
会議ルームの状態を表示する画面であり、会議ルームに含まれた構成員情報、または会議ルームに入室した構成員情報を含むことを特徴とする請求項１に記載の会議サービス提供方法。
【請求項３】
前記会議データは、
前記会議に係わる会議進行画面を構成する参加構成員情報、構成員のプロフィール写真、前記構成員の状態情報、前記構成員の入室時間、前期構成員の退室時間、前記会議の総構成員数、前記会議の経過時間及び前記会議の状態情報のうち少なくとも一つを含むことを特徴とする請求項１に記載の会議サービス提供方法。
【請求項４】
前記会議ルームを生成するステップは、
前記第２ユーザ及び第３ユーザの端末機に、前記会議ルームに連結されたリンクを含む招待メッセージを送信するステップと、
前記リンクを選択するイベントを受けて、前記第２ユーザ及び第３ユーザのうち少なくとも一人を、前記会議ルームに入室させるステップと、を含み、
前記会議ルームに入室したユーザの状態は、会議ルーム入室に設定されることを特徴とする請求項１に記載の会議サービス提供方法。
【請求項５】
前記会議ルームを生成するステップは、
前記第２ユーザ及び第３ユーザの端末機に、前記会議ルームに連結されたリンクを含む招待メッセージを送信するステップと、
前記第２ユーザ及び第３ユーザの端末機のうち少なくとも一つからの前記リンクを選択するユーザ入力を受けて、前記第２ユーザ及び第３ユーザのうち少なくとも一人を、前記会議ルームに係わる会議状態画面に移動させるステップと、
前記第２ユーザ及び第３ユーザのうち少なくとも一人から、前記会議状態画面に含まれた会議ルーム入室ボタンに対する入力を受信するステップと、
前記入室ボタンに対する入力を受けて、前記第２ユーザ及び第３ユーザのうち少なくとも一人を、前記会議ルームに入室させるステップと、を含み、
前記会議状態画面は、
会議ルームの状態を表示する画面であり、会議ルームに含まれた構成員情報、または会議ルームに入室した構成員情報を含み、
前記会議ルームに入室したユーザの状態は、会議ルーム入室に設定されることを特徴とする請求項１に記載の会議サービス提供方法。
【請求項６】
前記会議データは、代表イメージを含み、
前記代表イメージは、
前記会議ルームに含まれた構成員数に分割され、前記会議ルームに含まれた複数の構成員のプロフィール写真を含むことを特徴とする請求項１に記載の会議サービス提供方法。
【請求項７】
コンピュータを利用して、請求項１ないし６のうちいずれか１項に記載の方法を実行させるためにコンピュータ可読媒体に保存されたコンピュータプログラム。
【請求項８】
第１ユーザの端末機が、第１ユーザから、第２ユーザ及び第３ユーザを構成員にする第１会議ルームを生成する第１会議ルーム生成リクエストが入力されるステップと、
前記第１会議ルーム生成リクエストの入力を受けて、前記第１ユーザの端末機が、前記第１会議ルームを生成するステップと、
前記第１会議ルームの状態が活性化状態である間、前記第１ユーザの端末機から、臨界ボリューム以上の大きさを有する音データを含む第１音声ファイルが入力されるか、または前記第２ユーザ及び第３ユーザの端末機のうち少なくとも一つから受信した臨界ボリューム以上の大きさを有する１以上の音データを含む第２音声ファイル、及び対話者の情報を受信するステップと、
前記第２音声ファイルを出力し、前記対話者の情報を基に、前記構成員のうち全部または一部を対話者として設定して第１会議進行画面を表示するステップと、
前記第１音声ファイルを、前記第２ユーザ及び第３ユーザの端末機に送信するステップと、を含み、
前記第１会議ルームの状態は、ユーザのリクエストによって決定され、
前記対話者は、
会議ルームの構成員でありながら、臨界ボリューム以上の大きさを有する音が入力された端末機の所有者である会議サービス提供方法。
【請求項９】
前記第２音声ファイルは、
前記第２ユーザの端末機から受信した臨界ボリューム以上の大きさを有する第１音データ、及び第３ユーザの端末機から受信した臨界ボリューム以上の大きさを有する第２音データのうち少なくとも一つを含むことを特徴とする請求項８に記載の会議サービス提供方法。
【請求項１０】
第１ユーザから、前記第１会議ルームを非活性化させる非活性リクエスト信号が入力されるステップと、
前記非活性リクエスト信号に対応し、前記第１会議ルームの状態を非活性状態に変更するステップと、をさらに含み、
前記第１会議ルームの状態が非活性状態である間、前記第１会議進行画面をアップデートせず、入力された音を他の構成員の端末機に送信しないことを特徴とする請求項８に記載の会議サービス提供方法。
【請求項１１】
前記第１ユーザの端末機が、第１ユーザから、第４ユーザ及び第５ユーザを構成員にする第２会議ルームを生成する第２会議ルーム生成リクエストが入力されるステップと、
前記第２会議ルーム生成リクエストの入力を受けて、前記第１ユーザの端末機が、前記第２会議ルームを生成するステップと、をさらに含むことを特徴とする請求項８に記載の会議サービス提供方法。
【請求項１２】
通信部が、第３会議ルーム生成者の端末機から、第３会議ルームに対する招待メッセージを受信するステップと、
前記第３会議ルームに対する招待メッセージを受けて、前記第３会議ルームに接続するステップと、
前記第３会議ルームの構成員、及び入室した構成員情報を確認するために、前記第３会議ルームの会議状態画面を受信し、前記第３会議ルームの会議状態画面を表示するステップと、
前記第１ユーザの端末機が、前記第３会議ルームに対する入室信号が入力されるステップと、
前記第３会議ルームに対する入室信号を受けて、前記第３会議ルームに入室するステップと、を含むことを特徴とする請求項８に記載の会議サービス提供方法。
【請求項１３】
コンピュータを利用して、請求項８ないし１２のうちいずれか１項に記載の方法を実行させるためにコンピュータ可読媒体に保存されたコンピュータプログラム。
【請求項１４】
第１ユーザの端末機から、第２ユーザ及び第３ユーザを構成員にする会議ルームを生成する会議ルーム生成リクエストを受信するリクエスト受信部と、
前記会議ルーム生成リクエストを受けて、会議ルーム制御部が、前記第１ユーザないし前記第３ユーザを構成員にする会議ルームを生成する会議ルーム制御部と、
前記第１ユーザないし前記第３ユーザの端末機のうち、少なくとも１人の対話者の端末機から、臨界ボリューム以上の大きさを有する１以上の音データを含む音声ファイル、及び前記対話者の情報を受信するファイル受信部と、
前記受信した音声ファイル及び前記対話者の情報を併合して会議データを生成する状態制御部と、
前記会議データを前記構成員の端末機に提供する表示制御部と、を含み、
前記対話者は、
会議ルームの構成員であり、臨界ボリューム以上の大きさを有する音が入力された端末機の所有者である会議サービス提供サーバ。
【請求項１５】
前記会議ルーム制御部は、
前記会議ルーム生成リクエストを受けて、前記会議ルームに係わる会議状態画面を生成し、前記会議状態画面を前記第１ユーザ端末機に提供し、前記第１ユーザの端末機から、第２ユーザ及び第３ユーザを構成員にする会議ルームを生成する最終生成リクエストを受信し、前記最終生成リクエストを受けて、前記第１ユーザないし前記第３ユーザを構成員にする会議ルームを生成し、
前記会議状態画面は、
会議ルームの状態を表示する画面であり、会議ルームに含まれた構成員情報、または会議ルームに入室した構成員情報を含むことを特徴とする請求項１４に記載の会議サービス提供サーバ。
【請求項１６】
前記会議データは、
前記会議に係わる会議進行画面を構成する参加構成員情報、構成員のプロフィール写真、前記構成員の状態情報、前記構成員の入室時間及び退室時間、前記会議の総構成員数、前記会議の経過時間、前記会議の状態情報のうち少なくとも一つを含むことを特徴とする請求項１４に記載の会議サービス提供サーバ。
【請求項１７】
前記会議ルーム制御部は、
前記第２ユーザ及び第３ユーザの端末機に、前記会議ルームに連結されたリンクを含む招待メッセージを送信し、前記リンクの選択を受けて、前記第２ユーザ及び第３ユーザのうち少なくとも一人を、前記会議ルームに入室させ、
前記会議ルームに入室したユーザの状態は、会議ルーム入室に設定されることを特徴とする請求項１４に記載の会議サービス提供サーバ。
【請求項１８】
前記会議ルーム制御部は、
前記第２ユーザ及び第３ユーザの端末機に、前記会議ルームに連結されたリンクを含む招待メッセージを送信し、前記第２ユーザ及び第３ユーザの端末機のうち少なくとも一つからの前記リンクを選択するユーザ入力を受けて、前記第２ユーザ及び第３ユーザのうち少なくとも一人を、前記会議ルームに係わる会議状態画面に移動させ、前記第２ユーザ及び第３ユーザのうち少なくとも一人から、前記会議状態画面に含まれた会議ルーム入室ボタンに対する入力を受信し、前記入室ボタンに対する入力を受けて、前記第２ユーザ及び第３ユーザのうち少なくとも一人を、前記会議ルームに入室させ、
前記会議状態画面は、
会議ルームの状態を表示する画面であり、会議ルームに含まれた構成員情報、または会議ルームに入室した構成員情報を含み、
前記会議ルームに入室したユーザの状態は、会議ルーム入室に設定されることを特徴とする請求項１４に記載の会議サービス提供サーバ。
【請求項１９】
前記会議データは、代表イメージを含み、
前記代表イメージは、
前記会議ルームに含まれた構成員数に分割され、前記会議ルームに含まれた複数の構成員のプロフィール写真を含むことを特徴とする請求項１４に記載の会議サービス提供サーバ。
【発明の詳細な説明】
【技術分野】
【０００１】
本発明は、会議サービス提供方法及びそのコンピュータプログラムに係り、さらに具体的には、地理的に同じ空間にいない複数のユーザに対し遠隔会議を可能にする会議ルームを提供する会議サービス提供方法及びそのコンピュータプログラムに関する。
【背景技術】
【０００２】
今日、通信技術の発展によって、ユーザは、非常に多様なサービスを提供されており、インターネットの拡散、及びマルチメディアコンテンツの活性化によって、互いに遠く離れている者らに会議を可能にする多者間会議サービスが関心を集めている。
【０００３】
多者間会議サービスは、多数の端末を通信回線に連結し、その連結された通信回線を介して、会議参加者の画像データまたは音声データを送信し、多者間において会議を進めるサービスである。一般的に、互いに異なるところに位置したユーザが会議を行う場合、各ユーザが、音声、映像、データなどを含んだ各自の情報を、マルチポイント・カンファレンスユニット（ＭＣＵ：multipoint conference unit）に提供すれば、ＭＣＵにおいて、送信されたユーザの情報を統合し、統合された情報を各ユーザにさらにマルチキャスティングする。かようなＭＣＵは、一般的に、多地点会議のための中央制御を担当する多地点会議制御器（ＭＣ：multipoint controller）と、多地点のオーディオ及びビデオストリームを１つのストリームに合成してマルチキャスティングするＭＰ（multimedia processor）とから構成される。
【発明の概要】
【発明が解決しようとする課題】
【０００４】
本発明が解決しようとする課題は、複数のユーザ間の会議を進行させる会議サービスを提供することである。
【０００５】
また、本発明が解決しようとする課題は、１人のユーザが複数の会議を同時に進めることができる会議サービスを提供することである。
【０００６】
また、本発明が解決しようとする課題は、共に会議を進めている構成員の情報を、一目で見ることができる代表イメージを生成し、会議サービスを提供することである。
【０００７】
また、本発明が解決しようとする課題は、会議と無関係なノイズを除去し、会議に係わる音声データのみを提供する会議サービスを提供することである。
【課題を解決するための手段】
【０００８】
本発明の実施形態による会議サービス提供方法は、第１ユーザの端末機から、第２ユーザ及び第３ユーザを構成員にする会議ルームを生成する会議ルーム生成リクエストを受信するステップと、前記会議ルーム生成リクエストを受けて、会議ルーム制御部が、前記第１ユーザないし前記第３ユーザを構成員にする会議ルームを生成するステップと、通信部が、前記第１ユーザないし前記第３ユーザの端末機のうち、少なくとも１人の対話者の端末機から、臨界ボリューム以上の大きさを有する１以上の音データを含む音声ファイル、及び前記対話者の情報を受信するステップと、前記会議ルーム制御部が、前記受信した音声ファイル及び前記対話者の情報を併合して会議データを生成するステップと、前記会議ルーム制御部が、前記会議データを前記構成員の端末機に提供するステップと、を含み、前記対話者は、会議ルームの構成員でありながら、臨界ボリューム以上の大きさを有する音が入力された端末機の所有者でもある。
【０００９】
前記会議ルームを生成するステップは、前記会議ルーム生成リクエストを受けて、会議ルーム制御部が、前記会議ルームに係わる会議状態画面を生成し、前記会議状態画面を前記第１ユーザ端末機に提供するステップと、前記第１ユーザの端末機から、第２ユーザ及び第３ユーザを構成員にする会議ルームを生成する最終生成リクエストを受信するステップと、前記最終生成リクエストを受けて、会議ルーム制御部が、前記第１ユーザないし前記第３ユーザを構成員にする会議ルームを生成するステップと、を含み、前記会議状態画面は、会議ルームの状態を表示する画面であり、会議ルームに含まれた構成員情報、または会議ルームに入室した構成員情報を含んでもよい。
【００１０】
前記会議データは、前記会議に係わる会議進行画面を構成する参加構成員情報、構成員のプロフィール写真、前記構成員の状態情報、前記構成員の入室時間及び退室時間、前記会議の総構成員数、前記会議の経過時間、前記会議の状態情報のうち少なくとも一つを含んでもよい。
【００１１】
前記会議ルームを生成するステップは、前記第２ユーザ及び第３ユーザの端末機に、前記会議ルームに連結されたリンクを含む招待メッセージを送信するステップと、前記リンクを選択するイベントを受けて、前記第２ユーザ及び第３ユーザのうち少なくとも一人を、前記会議ルームに入室させるステップと、を含み、前記会議ルームに入室したユーザの状態は、会議ルーム入室に設定される。
【００１２】
前記会議ルームを生成するステップは、前記第２ユーザ及び第３ユーザの端末機に、前記会議ルームに連結されたリンクを含む招待メッセージを送信するステップと、前記第２ユーザ及び第３ユーザの端末機のうち少なくとも一つからの前記リンクを選択するユーザ入力を受けて、前記第２ユーザ及び第３ユーザのうち少なくとも一人を、前記会議ルームに係わる会議状態画面に移動させるステップと、前記第２ユーザ及び第３ユーザのうち少なくとも一人から、前記会議状態画面に含まれた会議ルーム入室ボタンの入力を受信するステップと、前記入室ボタンの入力を受けて、前記第２ユーザ及び第３ユーザのうち少なくとも一人を、前記会議ルームに入室させるステップと、を含み、前記会議状態画面は、会議ルームの状態を表示する画面であり、会議ルームに含まれた構成員情報、または会議ルームに入室した構成員情報を含み、前記会議ルームに入室したユーザの状態は、会議ルーム入室に設定される。
【００１３】
前記会議データは、代表イメージを含み、前記代表イメージは、前記会議ルームに含まれた構成員数に分割され、前記会議ルームに含まれた複数の構成員のプロフィール写真を含んでもよい。
【００１４】
本発明の実施形態によるコンピュータプログラムは、コンピュータを利用して、本発明の実施形態による会議サービスを提供する方法のうちいずれか１つの方法を実行させるためにコンピュータ可読媒体に保存されてもよい。
【００１５】
本発明の実施形態による会議サービス提供方法は、第１ユーザの端末機が、第１ユーザから、第２ユーザ及び第３ユーザを構成員にする第１会議ルームを生成する第１会議ルーム生成リクエストが入力されるステップと、前記第１会議ルーム生成リクエストの入力を受けて、前記第１ユーザの端末機が前記第１会議ルームを生成するステップと、前記第１会議ルームの状態が活性化状態である間、前記第１ユーザの端末機から、臨界ボリューム以上の大きさを有する音データを含む第１音声ファイルが入力されるか、あるいは前記第２ユーザ及び第３ユーザの端末機のうち少なくとも一つから受信した臨界ボリューム以上の大きさを有する１以上の音データを含む第２音声ファイル、及び対話者の情報を受信するステップと、前記第２音声ファイルを出力し、前記対話者の情報を基に、前記構成員のうち全部または一部を対話者として設定して第１会議進行画面を表示するステップと、前記第１音声ファイルを、前記第２ユーザ及び第３ユーザの端末機に送信するステップと、を含み、前記第１会議ルームの状態は、ユーザのリクエストによって決定され、前記対話者は、会議ルームの構成員でありながら、臨界ボリューム以上の大きさを有する音が入力された端末機の所有者でもある。
【００１６】
前記第２音声ファイルは、前記第２ユーザの端末機から受信した臨界ボリューム以上の大きさを有する第１音データ、及び第３ユーザの端末機から受信した臨界ボリューム以上の大きさを有する第２音データのうち少なくとも一つを含んでもよい。
【００１７】
本発明の実施形態による会議サービス提供方法は、第１ユーザから、前記第１会議ルームを非活性化させる非活性リクエスト信号が入力されるステップと、前記非活性リクエスト信号に対応し、前記第１会議ルームの状態を非活性状態に変更するステップと、をさらに含み、前記第１会議ルームの状態が非活性状態である間、前記第１会議進行画面をアップデートせず、入力された音を他の構成員の端末機に送信しない。
【００１８】
本発明の実施形態による会議サービス提供方法は、前記第１ユーザの端末機が、第１ユーザから、第４ユーザ及び第５ユーザを構成員にする第２会議ルームを生成する第２会議ルーム生成リクエストが入力されるステップと、前記第２会議ルーム生成リクエストの入力を受けて、前記第１ユーザの端末機が前記第２会議ルームを生成するステップと、をさらに含んでもよい。
【００１９】
本発明の実施形態による会議サービス提供方法は、通信部が、第３会議ルーム生成者の端末機から、第３会議ルームに対する招待メッセージを受信するステップと、前記第３会議ルームに対する招待メッセージを受けて、前記第３会議ルームに接続するステップと、前記第３会議ルームの構成員、及び入室した構成員情報を確認するために、前記第３会議ルームの会議状態画面を受信し、前記第３会議ルームの会議状態画面を表示するステップと、前記第１ユーザの端末機が、前記第３会議ルームに対する入室信号が入力されるステップと、前記第３会議ルームに対する入室信号を受けて、前記第３会議ルームに入室するステップと、を含んでもよい。
【００２０】
それ以外にも、本発明を具現するための他の方法、他のシステム、及び前記方法を実行するためのコンピュータプログラムを記録するコンピュータ可読記録媒体がさらに提供される。
【発明の効果】
【００２１】
本発明によれば、複数のユーザ間の会議を進行させる会議サービスを提供することができる。
【００２２】
また、本発明によれば、１人のユーザが複数の会議を同時に進める機能を提供することができる。
【００２３】
また、本発明によれば、共に会議を進めている構成員の情報を一目で見ることができる代表イメージを生成し、会議サービスを提供することができる。
【００２４】
また、本発明によれば、会議と無関係なノイズを除去し、会議に係わる音声データのみを提供する会議サービスを提供することができる。
【図面の簡単な説明】
【００２５】
【図１】本発明の実施形態による会議サービス提供システム示す図面である。
【図２】本発明の実施形態による会議サービス提供サーバを示すブロック図である。
【図３】制御部の構成について具体的に説明する図面である。
【図４】本発明の実施形態による会議サービス提供方法について説明するフローチャートである。
【図５】本発明の他の実施形態による会議サービス提供装置を示す図面である。
【図６】制御部の構成を示す図面である。
【図７】本発明の他の実施形態による会議サービス提供方法を示すフローチャートである。
【図８】本発明の実施形態による会議サービス提供方法を示すフローチャートである。
【図９】本発明の実施形態による会議サービス提供方法を示すフローチャートである。
【図１０】本発明の実施形態による、会議サービス提供装置及びサーバが提供する会議リスト画面の一例である。
【図１１】本発明の実施形態による、会議サービス提供装置及びサーバが提供する会議進行画面の一例である。
【図１２】本発明の実施形態による、会議サービス提供装置及びサーバが提供する会議招待メッセージの再発送過程に係わる画面である。
【図１３】本発明の実施形態による会議サービス提供装置が提供する退室リクエスト過程に係わる画面である。
【発明を実施するための形態】
【００２６】
本発明は、多様な変換を加えることができ、さまざまな実施形態を有することができるが、特定実施形態を図面に例示し、詳細な説明において詳しく説明する。本発明の効果、特徴及びそれらを達成する方法は、図面と共に詳細に説明する実施形態を参照すれば、明確になるであろう。しかし、本発明は、以下で開示される実施形態に限定されるものではなく、多様な形態によって具現されるのである。
【００２７】
以下、添付された図面を参照し、本発明の実施形態について詳細に説明するが、図面を参照して説明するとき、同一であるか、または対応する構成要素は、同一図面符号を付し、それについての重複説明は省略する。
【００２８】
以下の実施形態において、第１、第２のような用語は、限定的な意味ではなく、１つの構成要素を他の構成要素と区別する目的に使用されている。
【００２９】
以下の実施形態において、単数の表現は、文脈上明白に異なって意味しない限り、複数の表現を含む。
【００３０】
以下の実施形態において、「含む」または「有する」というような用語は、明細書上に記載された特徴または構成要素が存在するということを意味するものであり、１以上の他の特徴または構成要素が付加される可能性をあらかじめ排除するものではない。
【００３１】
ある実施形態が異なって具現可能である場合、特定の工程順序は、説明される順序と異なって遂行されもする。例えば、連続して説明される２つの工程が、実質的に同時に遂行され、説明される順序と反対の順序に進められてもよい。
【００３２】
図１は、本発明の実施形態による会議サービス提供システム１０を示す図面である。
【００３３】
図１を参照すれば、本発明の実施形態による会議サービス提供システム１０は、会議サービス提供サーバ１００、会議サービス提供装置２００、通信網３００を含んでもよい。
【００３４】
会議サービス提供サーバ１００は、複数のユーザを構成員にする会議ルームを提供するサービスを提供することができる。会議サービス提供サーバ１００は、会議ルームに含まれた構成員に係わる情報を表示することができる代表イメージを提供することができる。会議サービス提供サーバ１００は、会議ルームに参加した構成員のプロフィール情報及び状態情報を共に表示することができる。例えば、会議サービス提供サーバ１００は、構成員のうち、臨界ボリューム以上の大きさを有する音を生成したユーザを対話者として設定し、前記対話者の状態を対話中に設定することができる。会議サービス提供サーバ１００は、構成員のユーザから、他のユーザに対する退室リクエストを受信し、前記退室リクエストに対応し、前記他のユーザを前記会議ルームから退室させることができる。会議サービス提供サーバ１００は、構成員のうち入室していない第３ユーザの端末機に、会議ルームに進入するリンクを含む招待メッセージを送信することができる。会議サービス提供サーバ１００は、第１ユーザに、一人以上の会議ルームを同時に提供することができ、終了した会議ルームに係わる情報を提供したりする。
【００３５】
会議サービス提供装置２００は、前記会議サービス提供サーバ１００から会議データを受信し、会議サービスを提供する手段をユーザに提供するか、あるいは会議サービスを提供するアプリケーションを具備しており、前記アプリケーションを介して、連絡先に保存された２以上のユーザを構成員にする会議ルームサービスを提供する手段を、ユーザに提供する。ここで、会議サービス提供装置２００は、ユーザの端末機２０１，２０２，２０３，２０４と同一デバイスを含む。
【００３６】
会議サービス提供装置２００は、有無線通信環境でウェブサービスを利用することができる通信端末機を意味する。ここで、会議サービス提供装置２００は、ユーザのパソコン２０１，２０３でもあり、またはユーザの携帯用端末２０２，２０４でもある。
【００３７】
それについてさらに詳細に説明すれば、会議サービス提供装置２００は、コンピュータ（例えば、デスクトップ、ラップトップ、タブレット）、メディアコンピュータプラットホーム（例えば、ケーブル・衛星セットトップボックス、デジタルビデオレコーダ）、ハンドヘルドコンピュータデバイス（例えば、ＰＤＡ（personal digital assistant）、電子メールクライアントなど）、携帯電話の任意の形態、または他種のコンピュータまたはコミュニケーションプラットホームの任意の形態を含んでもよいが、本発明は、それらに限定されるものではない。
【００３８】
一方、通信網３００は、複数個の会議サービス提供装置２００と会議サービス提供サーバ１００とを連結する役割を行う。すなわち、通信網３００は、会議サービス提供装置２００が会議サービス提供サーバ１００に接続した後、データを送受信することができるように、接続経路を提供する通信網を意味する。通信網３００は、例えば、ＬＡＮｓ（local area networks）、ＷＡＮｓ（wide area networks）、ＭＡＮｓ（metropolitan area networks）、ＩＳＤＮｓ（integrated service digital networks）のような有線ネットワーク；無線ＬＡＮｓ、ＣＤＭＡ（code division multiple access）、ブルートゥース（Bluetooth）(登録商標)、衛星通信のような無線ネットワーク；を網羅することができるが、本発明の範囲は、それらに限定されるものではない。
【００３９】
図２は、本発明の実施形態による会議サービス提供サーバを示すブロック図である。
【００４０】
図２を参照すれば、本発明の第１実施形態による会議サービス提供サーバ１００は、制御部１１０、通信部１２０及び保存部１３０を含んでもよい。
【００４１】
制御部１１０は、第１ユーザの端末機から、第２ユーザ及び第３ユーザを構成員にする会議ルームを生成するリクエストを受けて、会議ルームを生成し、構成員の端末機に招待メッセージを送信することができる。制御部１１０は、会議ルームを介して、第１ユーザないし第３ユーザの間の会議を可能にし、各会議ルームに含まれた構成員の数、プロフィール情報などを代表イメージとして生成して提供することができる。その代表イメージによって、会議サービス提供サーバ１００は、会議ルームに含まれた構成員に係わる情報が一目で分かるようにする。
【００４２】
制御部１１０は、第１ユーザないし第３ユーザの端末機から受信したそれぞれの音が所定の条件を満たす場合、それぞれの音を併合し、音声ファイルに生成することができる。制御部１１０は、音データから認識対象になる区間を求め、前記認識対象になる区間に含まれたノイズ成分を除去し、前記ノイズ成分を除去した音データのみを含む音声ファイルを生成することができる。制御部１１０は、認識対象になる区間を除いた区間の音データを除去し、音声ファイルを生成することができる。それを介して、会議サービス提供サーバ１００は、会議と無関係なノイズを除去し、会議に係わる音声データだけが提供されるようにする。
【００４３】
制御部１１０は、前記音声ファイルを各構成員の端末機に送信するように制御することができる。制御部１１０は、会議ルームで対話をしている対話者を区分して表示することができる。それを介して、会議サービス提供サーバ１００は、複数の対話者が存在する場合、対話者の情報を別途に表記することにより、会議に積極的に参加している対話者が知ることができるようにする。
【００４４】
通信部１２０は、会議サービス提供装置２００と、会議サービス提供サーバ１００との通信を可能にする１以上の構成要素を含んでもよい。例えば、通信部１２０は、近距離通信部、移動通信部を含んでもよい。近距離通信部（short-range wireless communication unit）は、ブルートゥース（Bluetooth）通信部、ＢＬＥ（Bluetooth low energy）通信部、近距離無線通信部（near field communication unit）、ＷＬＡＮ（Ｗｉ−Ｆｉ）通信部、ジグビー（ZigBee）通信部、赤外線（ＩｒＤＡ：infrared data association）通信部、ＷＦＤ（Ｗｉ−Ｆｉ direct）通信部、ＵＷＢ（ultra wideband）通信部、Ａｎｔ＋通信部などを含んでもよいが、それらに限定されるものではない。移動通信部は、移動通信網上で、基地局、外部の端末、サーバのうち少なくとも一つと無線信号を送受信する。ここで、無線信号は、音声コール信号、画像通話コール信号、または文字／マルチメディアメッセージ送受信による多様な形態のデータを含んでもよい。
【００４５】
通信部１２０を介して、会議サービス提供サーバ１００は、会議サービス提供装置２００からユーザのプロフィール情報だけでなく、会議ルームに含まれた構成員と共有したいデータ、例えば、ユーザの入力された音情報、写真、リンク、動画を受信し受信する。
【００４６】
保存部１３０は、会議サービス提供サーバ１００に登録されたユーザ情報、ユーザ間の１以上の会議ルーム情報などを保存することができる。
【００４７】
図３は、制御部１１０の構成について具体的に説明する図面である。
【００４８】
図３を参照すれば、制御部１１０は、リクエスト受信部１１１、会議ルーム制御部１１２、ファイル受信部１１３、状態制御部１１４、表示制御部１１５を含んでもよい。
【００４９】
リクエスト受信部１１１は、３以上のユーザを構成員にし、会議ルームを生成するリクエストを前記構成員のうち第１ユーザの端末機から受信し受信する。ここで、説明の便宜のために、前記会議ルームの構成員は、第１ユーザないし第３ユーザとする。
【００５０】
会議ルーム制御部１１２は、前記会議ルームを生成するリクエストを受けて、会議ルームを生成し、会議ルームに相応する会議データを生成することができる。ここで、会議データは、前記会議ルームに係わる情報をいい、前記会議ルームに含まれた構成員に係わる情報、会議ルームに係わる情報を含んで構成され、例えば、会議ルームに含まれた構成員の数、構成員の入室時間及び退室時間の情報、会議開始時間、終了時間情報などを含んでもよい。
【００５１】
また、会議ルーム制御部１１２は、会議ルームを示す代表イメージを生成することができるが、ここで、代表イメージは、前記会議ルームに含まれた構成員の数に分割され、分割された各領域に、各構成員のプロフィール情報が表示されるように生成されてもよい。代表イメージは、三角形、四角形のようなｎ角形、またはコーナーのない閉曲線からなる円形などに表示されるが、それらに限定されるものではない。例えば、３人の構成員を含む第１会議ルームの代表イメージは、３等分に分割され、各領域に各構成員のプロフィール情報を含んで構成され、５人の構成員を含む第２会議ルームの代表イメージは、５等分に分割され、各領域に各構成員のプロフィール情報を含んで構成されてもよい。会議ルーム制御部１１２は、会議ルームを去る構成員のプロフィール情報を、前記会議ルームを示す代表イメージから除去して表示することができる。
【００５２】
会議ルーム制御部１１２は、ファイル受信部１１３を介して受信したデータまたはファイルを併合し、前記会議ルームを介して共有されるようにし、併合された最終音声ファイルなどを、各構成員の端末機に送信するように制御することができる。会議ルーム制御部１１２は、併合された最終音声ファイルを、各会議ルームと連結させて保存するように制御することができる。
【００５３】
ファイル受信部１１３は、前記会議ルームを介して共有する音データ、または前記音データを含む音声ファイルの形態で受信し受信する。ファイル受信部１１３は、前記会議ルームに含まれた構成員のプロフィール情報を受信し受信する。ここで、プロフィール情報は各構成員が自分を表現するためにアップロードする情報であり、イメージ、写真、動画、音声、テキストのうち少なくとも一つを含んで構成されてもよい。
【００５４】
また、ファイル受信部１１３は、前記会議ルームを介して共有するイメージデータ、動画データ、テキストデータ、リンクデータを受信し、ファイル受信部１１３は、ファイル形態に限定されず、多種のデータを受信し受信する。このとき、ファイル受信部１１３は、受信したファイルまたはデータが所定の条件を満たすか否かということを判断し、所定の条件を満たす場合にのみ、前記ファイルまたはデータが会議ルームを介して共有される。例えば、既設定の臨界ボリューム以上の大きさを有するか、あるいは言語的に意味を有する音データまたは音声ファイルが受信した場合にのみ、前記音データまたは音声ファイルが会議ルームを介して共有される。
【００５５】
状態制御部１１４は、前記会議ルームに含まれた構成員の状態を管理することができる。ここで、構成員の状態は、各構成員の会議ルームでの行動状態を表示するものであり、例えば、入室、退室、未参加、対話中、他の業務中のうち一つである。状態制御部１１４は、前記会議ルームに含まれた構成員のうち全部または一部のユーザから入力された音声ファイルを受信した場合、ユーザの状態が対話中に表示されるように制御することができる。状態制御部１１４は、前記会議ルームに含まれた構成員の全部または一部のうち、前記会議ルームに入室していないユーザの状態が未参加と表示されるように制御し、参加したユーザと未参加ユーザとの情報が区分されて表示されるように制御することができる。状態制御部１１４は、前記会議ルームに含まれた構成員の全部または一部のうち、前記会議ルームを活性化しないユーザの状態が、他の業務に表示されるように制御することができる。
【００５６】
表示制御部１１５は、ユーザの端末機に提供される会議リスト画面、会議進行画面を生成し、各ユーザの端末機が、前記会議リスト画面、会議進行画面などが表示されるように制御することができる。会議リスト画面は、各ユーザを構成員にする１以上の会議ルームに係わる情報を提供する画面であり、進行中である会議、終了した会議、削除された会議などの情報を含んで構成されてもよい。ここで、削除された会議は、それ以上進行される可能性がない会議を意味する。会議進行画面は、現在進行している会議ルームに係わる画面であり、前記会議ルームに含まれた構成員情報、前記会議ルームに係わる情報を含んで提供される。例えば、会議進行画面は、前記会議ルームに含まれた構成員の数、構成員のプロフィール情報、構成員の状態、構成員の入室時間・退室時間、及び会議開始時間・会議終了時間のような情報を含んでもよい。
【００５７】
他の実施形態において、リクエスト受信部１１１は、前記第１ユーザないし第３ユーザのうち一人から、他の一人の退室をリクエストする信号を受信することができる。前記退室をリクエストする信号を受けて、会議ルーム制御部１１２は、退室をリクエストする信号に含まれたユーザを前記会議ルームを去るように制御することができる。
【００５８】
他の実施形態において、リクエスト受信部１１１は、未参加状態のユーザの端末機に、会議招待メッセージを再発送するリクエストを受信することができる。前記会議招待メッセージ再発送リクエストを受けて、会議ルーム制御部１１２は、未参加状態のユーザの端末機に、会議招待メッセージを再発送する。
【００５９】
他の実施形態において、会議ルーム制御部１１２は、会議ルームに対する招待メッセージを受けて、会議ルームに入室したユーザの端末機に、会議ルームに係わる会議状態画面を先に提供することができる。ここで、会議状態画面は、会議ルームの状態を表示する画面であり、会議ルームに含まれた構成員情報、または会議ルームに入室した構成員情報を含んでもよい。
【００６０】
他の実施形態において、会議ルーム制御部１１２は、会議ルームを生成するユーザ、または会議招待メッセージを受信して会議ルームに入室するユーザに、会議で使用するユーザＩＤ（identification）、及び会議構成員に公開するプロフィール情報が入力されるように制御することができる。ここで、プロフィール情報は、ユーザのプロフィール情報であり、イメージ、テキストまたは動画のうち一つを含んでもよい。
【００６１】
図４は、本発明の実施形態による会議サービス提供方法について説明するフローチャートである。
【００６２】
図４を参照すれば、本発明の第１実施形態による会議サービス提供方法は、会議ルーム生成リクエスト受信ステップ（Ｓ１１０）、会議ルーム生成ステップ（Ｓ１２０）、音声ファイル及び対話者情報受信ステップ（Ｓ１３０）、会議データ生成ステップ（Ｓ１４０）、会議ルームに含まれる構成員のうち全部または一部を対話者として設定するステップ（Ｓ１５０）を含んでもよい。
【００６３】
Ｓ１１０において、会議サービス提供サーバ１００は、第１ユーザの端末機から、複数のユーザを構成員にする会議ルームを生成するリクエストを受信し受信する。
【００６４】
Ｓ１２０において、会議サービス提供サーバ１００は、前記会議ルーム生成リクエストを受けて、会議ルームを生成する。Ｓ１２０において、会議サービス提供サーバ１００は、前記会議ルーム生成と共に、前記構成員の端末機に会議招待メッセージを送信することができる。前記会議招待メッセージは、会議ルームについての説明、会議ルームに含まれた構成員に係わる情報、会議ルームに入室する方法、会議ルームに対するリンクを含んでもよい。
【００６５】
Ｓ１３０において、会議サービス提供サーバ１００は、会議ルームに含まれた構成員の端末機から、音データ、音声ファイルなどを受信し、各構成員のプロフィール情報も受信し受信する。また、会議サービス提供サーバ１００は、会議ルームに含まれた構成員の状態情報をさらに受信し受信する。ここで、状態情報については説明したので、詳細な説明を省略する。
【００６６】
Ｓ１４０において、会議サービス提供サーバ１００は、前記受信した音声ファイルを併合して最終音声ファイルを生成し、前記最終音声ファイル、プロフィール情報、対話者情報を含み、会議データを生成することができる。
【００６７】
Ｓ１５０において、会議サービス提供サーバ１００は、前記音データまたは前記音声ファイルの生成者を対話者として設定することができる。
【００６８】
図５は、本発明の他の実施形態による会議サービス提供装置を示す図面である。
【００６９】
図５を参照すれば、本発明の第２実施形態による会議サービス提供装置２００は、制御部２１０、通信部２２０、表示部２３０、入力部２４０、保存部２５０、音響出力部２６０を含んでもよい。
【００７０】
制御部２１０は、一般的に、会議サービス提供装置２００の全般的な動作を制御する。例えば、制御部２１０は、保存部２５０に保存されたプログラムを実行することにより、通信部２２０、表示部２３０、入力部２４０、音響出力部２６０などを全般的に制御することができる。
【００７１】
制御部２１０は、第１ユーザから入力された会議ルーム生成リクエストを受けて、会議ルームを生成し、前記会議ルーム生成リクエストに含まれた１以上の構成員に、会議招待メッセージを送信する。
【００７２】
制御部２１０は、第１ユーザから入力された音が、臨界ボリューム以上であるか否かということを判断し、臨界ボリューム以上の音を音声ファイルに変換し、前記音声ファイルを、前記会議ルームに含まれた構成員の端末機に送信することができる。それを介して、会議サービス提供装置２００は、入力されたノイズを除去し、会議に係わる言葉を共有する。
【００７３】
制御部２１０は、前記会議ルームに含まれた構成員の端末機を介して入力された音データまたは音声ファイルを受信し受信して出力することができる。受信し受信した音声ファイルを介して、制御部２１０は、対話中のユーザと、対話中ではないユーザとを区分して表示する。それを介して、会議サービス提供装置２００は、会議ルームを介して共有された音声ファイルを出力する同時に、構成員のうち対話者に係わる情報も提供することができる。
【００７４】
制御部２１０は、入力部２４０を介して入力された退室リクエストを受けて、退室リクエストに含まれた第２ユーザを、前記会議ルームから退室させることができ、未参加ユーザに招待メッセージを再発送するリクエストを受けて、未参加ユーザのうち全部または一部に、前記会議ルームに招待するメッセージを再発送することができる。また、制御部２１０は、ユーザから入力された会議退室リクエストを受けて、前記ユーザを、前記会議ルームから退室させることができる。
【００７５】
制御部２１０は、会議ルームに含まれた構成員に係わる情報、及び会議ルームに係わる情報を受信し受信して表示することができる。特に、制御部２１０は、会議ルームに含まれた構成員に係わる情報が一目で分かるようにする代表イメージを生成して提供することができる。
【００７６】
制御部２１０は、会議ルームに係わる活性状態によって、入力及び出力が異なるように制御される。例えば、ユーザは、会議ルームを非活性状態に設定することができ、会議ルームが非活性状態である間には、臨界ボリューム以上の音がユーザから入力されても、前記音が会議ルームを介して共有されず、他の構成員からの音声ファイルも出力されない。それにより、会議サービス提供装置は、ユーザに係わる会議ルームを維持しながら、前記ユーザが異なる業務（電話通話、動画再生など）を行うようにすることができる。
【００７７】
通信部２２０は、会議サービス提供装置２００間の通信を可能にする１以上の構成要素を含んでもよい。例えば、通信部２２０は、近距離通信部、移動通信部を含んでもよい。近距離通信部は、ブルートゥース（Bluetooth）通信部、ＢＬＥ（Bluetooth Low Energy）通信部、近距離無線通信部、ＷＬＡＮ（Ｗｉ−Ｆｉ）通信部、ジグビー（ZigBee）通信部、赤外線（ＩｒＤＡ）通信部、ＷＦＤ通信部、ＵＷＢ通信部、Ａｎｔ＋通信部などを含んでもよいが、それらに限定されるものではない。移動通信部は、移動通信網上において、基地局、外部の端末、サーバのうち少なくとも一つと無線信号を送受信する。ここで、無線信号は、音声コール信号、画像通話コール信号、または文字／マルチメディアメッセージ送受信による多様な形態のデータを含んでもよい。通信部２２０は、会議サービス提供装置２００及び会議サービス提供サーバ１００と通信し、会議ルームを介して共有する音声ファイル、その他ファイルを取得することができ、会議ルームに係わるデータを取得することができる。通信部２２０は、会議サービス提供サーバ１００から、会議サービス及び会議サービスに係わる画面表示のためのアプリケーションを取得することもできる。
【００７８】
表示部２３０は、会議サービス関連画面及びユーザインターフェースを表示することができる。表示部２３０は、入力部２４０を介して入力されたユーザイベントによって、画面が表示することができる。一方、表示部２３０とタッチパッドとがレイヤ構造をなしてタッチスクリーンとして構成される場合、表示部２３０は、出力装置以外に、入力装置としても使用される。表示部２３０は、液晶ディスプレイ（liquid crystal display）、薄膜トランジスタ液晶ディスプレイ（thin film transistor-liquid crystal display）、有機発光ダイオード（organic light-emitting diode）、フレキシブルディスプレイ（flexible display）、三次元ディスプレイ（３Ｄ display）、電気泳動ディスプレイ（electrophoretic display）のうち少なくとも一つを含んでもよい。
【００７９】
入力部２４０は、ユーザが、会議サービス提供装置を制御するためのイベントまたはデータを入力する手段を意味する。例えば、入力部２４０には、キーパッド（key pad）、ドームスイッチ（dome switch）、タッチパッド（接触式静電容量方式、圧力式抵抗膜方式、赤外線感知方式、表面超音波伝導方式、積分式張力測定方式、ピエゾ効果方式など）、ジョグホイール、ジョグスイッチなどがあるが、それらに限定されるものではない。
【００８０】
入力部２４０は、会議サービスに係わるユーザインターフェースを介して、会議ルームを生成するリクエスト、構成員のうち一部を退室させるリクエスト、未参加ユーザの端末機に会議招待メッセージを再発送するリクエストなどを取得することができる。入力部２４０は、会議ルームを活性化／非活性化させる命令が入力されたり、会議ルームを退室させる命令が入力されたりする。
【００８１】
保存部２５０は、通信部２２０を介して取得された会議データ、及び会議ルームに含まれた構成員に係わるデータを保存することができる。
【００８２】
音響出力部２６０は、通信部２２０を介して取得された音声ファイルが出力させる。また、音響出力部２６０は、会議サービス提供装置２００で遂行される機能に係わる音響信号を出力する。かような音響出力部２６０には、スピーカ（speaker）、ブザー（buzzer）、振動モータなどが含まれる。振動モータは、振動信号を出力することができる。例えば、振動モータは、オーディオデータまたはイメージデータの出力に対応する振動信号を出力することができる。また、振動モータは、タッチスクリーンにタッチが入力される場合に振動信号を出力することもできる。
【００８３】
図６は、制御部２１０の構成を示す図面である。
【００８４】
図６を参照すれば、制御部２１０は、入力制御部２１１、会議ルーム制御部２１２、ファイル受信部２１３、状態制御部２１４、表示制御部２１５を含んでもよい。
【００８５】
入力制御部２１１は、第１ユーザから、第２ユーザ及び第３ユーザを構成員にする会議ルームを生成するリクエストが入力される。また、入力制御部２１１は、第１ユーザから、会議ルームを介して共有する音（サウンド）などが入力される。また、入力制御部２１１は、第１ユーザから、第４ユーザ及び第５ユーザを構成員にする前記会議ルームと異なる第２会議ルームを生成するリクエストをさらに入力される。
【００８６】
会議ルーム制御部２１２は、前記会議ルームを生成するリクエストを受けて、会議ルームを生成し、会議ルームに相応する会議データを生成することができる。ここで、会議データは、前記会議ルームに係わる情報をいい、前記会議ルームに含まれた構成員に係わる情報、会議ルームに係わる情報を含んで構成され、例えば、会議ルームに含まれた構成員の数、構成員の入室時間及び退室時間の情報、会議開始時間、終了時間情報などを含んでもよい。
【００８７】
また、会議ルーム制御部２１２は、会議ルームを示す代表イメージを生成することができるが、ここで、代表イメージは、前記会議ルームに含まれた構成員の数に分割され、分割された各領域に各構成員のプロフィール情報が表示されるように生成される。代表イメージについては前述のとおりであり、詳細な説明を省略する。
【００８８】
また、会議ルーム制御部２１２は、ファイル受信部２１３を介して受信し受信した音声ファイルを併合し、１つの最終音声ファイルを生成することができる。このとき、会議ルーム制御部２１２は、受信し受信した音声ファイルが所定の条件を満たすか否かということを判断し、判断結果、所定の条件を満たす音声ファイルを、最終音声ファイルに併合することができる。例えば、会議ルーム制御部２１２は、既設定の臨界ボリューム以上の音声ファイルを、最終音声ファイルに併合することができる。会議ルーム制御部２１２は、最終音声ファイルが構成員の端末機に送信されるか、あるいは第１ユーザの端末機に出力されるようにする。
【００８９】
会議ルーム制御部２１２は、前記第２会議ルーム生成リクエストを受けて、第４ユーザ及び第５ユーザを構成員にする第２会議ルームを生成することができる。前記第２会議ルームは、前記会議ルームと区別するために、「第２」をさらに付けた会議ルームであり、構成員が異なるだけであり、第２会議ルームの動作は、会議ルームと同一方式であるが、区別されるように進行される。
【００９０】
ファイル受信部２１３は、前記会議ルームに含まれた１以上の構成員の端末機から、共有する音声などの音データを音声ファイルの形態で受信し受信する。ファイル受信部２１３は、前記構成員の端末機から、構成員のプロフィール情報を受信し受信する。プロフィール情報については説明したので、詳細な説明を省略する。
【００９１】
また、ファイル受信部２１３は、前記会議ルームを介して共有するイメージデータ、動画データ、テキストデータ、リンクデータを、前記会議ルームに含まれた１以上の構成員の端末機から受信し受信し、ファイル受信部２１３は、ファイル形態に限定されず、多種のデータを受信し受信する。
【００９２】
また、ファイル受信部２１３は、各構成員の状態情報を受信し受信する。ここで、構成員の状態情報は、各構成員の状態を含む情報であり、ここで、構成員の状態は、各構成員の会議ルームでの行動状態を表示するものであり、例えば、入室、退室、未参加、対話中、他の業務中のうち一つである。
【００９３】
状態制御部２１４は、前記ファイル受信部２１３を介して受信し受信した前記会議ルームに含まれた構成員の状態を管理することができる。状態制御部１１４は、前記会議ルームに含まれた構成員のうち全部または一部のユーザから入力された音声ファイルを受信し受信した場合、ユーザの状態が対話中に表示されるように制御することができる。状態制御部２１４は、前記会議ルームに含まれた構成員の全部または一部のうち、前記会議ルームに入室していないユーザの状態が未参加に表示されるように制御し、参加したユーザと、未参加ユーザとの情報が区分されて表示されるように制御することができる。状態制御部２１４は、前記会議ルームに含まれた構成員の全部または一部のうち、前記会議ルームを活性化しないユーザの状態が、異なる業務に表示されるように制御することができる。
【００９４】
会議サービス提供装置２００は、状態制御部２１４を介して、第１ユーザが含まれた１以上の会議ルームを、それぞれ個別に管理することができる。例えば、第２ユーザ及び第３ユーザを含む第１会議ルーム、及び第４ユーザ及び第５ユーザを含む第２会議ルームをいずれも活性化させるか、あるいは前記第１会議ルーム及び第２会議ルームのうち一つを活性化させるか、あるいは２個の会議ルームいずれもを非活性化させることができる。会議ルームの状態を考慮し、会議サービス提供装置２００の会議ルーム制御部２１２は、入力された音を活性化された会議ルームのみに伝達し、活性化された会議ルームを介して共有された音のみを出力する。それを介して、会議サービス提供装置２００は、ユーザをして複数の会議を同時に進めさせる。
【００９５】
表示制御部２１５は、ユーザの端末機に提供される会議リスト画面、会議進行画面を生成し、各ユーザの端末機が、前記会議リスト画面、会議進行画面などが表示されるように制御することができる。ここで、会議リスト画面及び会議進行画面などについては説明したので、詳細な説明を省略する。
【００９６】
他の実施形態において、入力制御部２１１は、前記第２ユーザ及び第３ユーザのうち一人から、他の一人の退室をリクエストする信号が入力される。前記退室をリクエストする信号を受けて、会議ルーム制御部２１２は、退室をリクエストする信号に含まれたユーザを、前記会議ルームから退室させることができる。
【００９７】
他の実施形態において、入力制御部２１１は、未参加状態のユーザの端末機に、会議招待メッセージを再発送するリクエストが入力される。前記会議招待メッセージ再発送リクエストを受けて、会議ルーム制御部２１２は、未参加状態のユーザの端末機に、会議招待メッセージを再発送する。
【００９８】
他の実施形態において、会議ルーム制御部２１２は、会議ルームに対する招待メッセージを受けて、会議ルームに入室した前記第２ユーザ及び第３ユーザのうち１つの端末機に、会議ルームに係わる会議状態画面を先に提供することができる。ここで、会議状態画面は、会議ルームの状態を表示する画面であり、会議ルームに含まれた構成員情報、または会議ルームに入室した構成員情報を含んでもよい。
【００９９】
他の実施形態において、会議ルーム制御部２１２は、会議ルームを生成するユーザ、または会議招待メッセージを受信して会議ルームに入室するユーザに、ユーザＩＤ及びプロフィール情報が入力されるように制御することができる。ここで、プロフィール情報は、ユーザのプロフィール情報であり、イメージ、テキストまたは動画のうち一つを含んでもよい。
【０１００】
図７は、本発明の他の実施形態による会議サービス提供方法を示すフローチャートである。
【０１０１】
図７を参照すれば、会議サービス提供方法は、会議ルーム生成リクエスト入力ステップ（Ｓ２１０）、会議進行画面生成ステップ（Ｓ２２０）、情報受信ステップ（Ｓ２３０）、ファイル併合ステップ（Ｓ２４０）、出力ステップ（Ｓ２５０）、表示ステップ（Ｓ２６０）を含んでもよい。
【０１０２】
Ｓ２１０において、会議サービス提供装置２００は、第１ユーザから２以上のユーザを構成員にする会議ルームを生成するリクエストが入力される。
【０１０３】
Ｓ２２０において、会議サービス提供装置２００は、前記会議ルーム生成リクエストを受けて、前記会議ルームを生成する。Ｓ２２０において、会議サービス提供装置２００は、前記会議ルーム生成リクエストを受けて、前記構成員の端末機に、前記会議ルームに招待するメッセージを送信することができる。
【０１０４】
Ｓ２３０において、会議サービス提供装置２００は、会議ルームの状態が活性化状態である間、前記第１ユーザから、臨界ボリューム以上の大きさを有する音を含む第１音声ファイルが入力され、前記第２ユーザ及び第３ユーザの端末機のうち少なくとも一つから、臨界ボリューム以上の大きさを有する音を含む第２音声ファイル、及び対話者の情報を受信する。ここで、対話者の情報は、前記音を生成したユーザに係わる情報を言う。
【０１０５】
Ｓ２４０において、会議サービス提供装置２００は、前記第１音声ファイル及び第２音声ファイルを併合し、最終音声ファイルを生成する。また、会議サービス提供装置２００は、前記最終音声ファイル、及び対話者の情報を併合し、会議データを生成する。
【０１０６】
Ｓ２５０において、会議サービス提供装置２００は、前記会議データを基に、前記構成員のうち全部または一部を対話者として設定する。Ｓ２６０において、会議サービス提供装置２００は、前記対話者を表示する会議進行画面を生成して提供する。
【０１０７】
図８及び図９は、本発明の実施形態による会議サービス提供方法を示すフローチャートである。
【０１０８】
図８を参照すれば、会議サービス提供方法は、招待メッセージ送信ステップ（Ｓ３１０）、リンク連結受信ステップ（Ｓ３２０）、登録されたユーザであるか否かということ判断ステップ（Ｓ３３０）、プロフィール写真及びＩＤ受信ステップ（Ｓ３３２）、会議ルーム入室受信ステップ（Ｓ３３１）を含んでもよい。
【０１０９】
Ｓ３１０においては、会議サービス提供サーバ１００は、会議ルームに含まれた構成員のうち第１ユーザに、前記会議ルームに対する招待メッセージを送信する。Ｓ３２０においては、会議サービス提供サーバ１００は、第１ユーザから、招待メッセージに含まれた会議ルームに対するリンク選択信号を受信する。Ｓ３３０においては、会議サービス提供サーバ１００は、第１ユーザが、会議サービス提供ＤＢ（database）に登録されたユーザであるか否かということを確認する。第１ユーザが登録されたユーザである場合、第１ユーザが会議ルームに入室するように制御する（Ｓ３３１）。もし第１ユーザが登録されたユーザではない場合、第１ユーザのプロフィール写真及びＩＤが入力されるように制御する。
【０１１０】
ここで、会議サービスは、特定の会議サービス提供サーバに登録されるか、あるいは会議サービス提供アプリケーションが搭載された装置を介して利用可能であるが、図８の実施形態を介して、会議サービス提供サーバに事前に会員加入を行うか、あるいは登録されたユーザではないとしても、自分のＩＤ及びプロフィール写真を登録すれば、本発明の実施形態による会議サービス提供サーバ１００が提供するサービスを利用することができる。ここで、ユーザが入力したＩＤ及びプロフィールは、ユーザの端末機に係わる識別情報（例えば、ユーザの端末機の物理的アドレス（ＭＡＣ（media access control） address）、ＩＰ（internet protocol）アドレスなど）とマッチングされて保存されて管理される。すなわち、第１ユーザが入力したプロフィール及びＩＤ情報は、会議サービス利用以降にも継続的に管理され、第１ユーザが会議ルームを生成するか、あるいは会議ルームに招待されて他の会議ルームに入室する場合にも使用される。
【０１１１】
図９を参照すれば、会議サービス提供方法においてＳ３２０ステップは、会議状態画面表示ステップ（Ｓ３２１）、会議ルーム入室信号受信ステップ（Ｓ３２２）、会議ルーム入室ステップ（Ｓ３２３）を含む。
【０１１２】
Ｓ３２１においては、会議サービス提供サーバ１００は、招待メッセージを受信した第１ユーザ端末機からの会議ルームに対する連結信号を受けて、会議ルームに係わる状態を表示する会議状態画面を提供する。Ｓ３２２においては、会議サービス提供サーバ１００は、第１ユーザ端末機からの会議ルーム入室信号を受信するか否かということを判断する。第１ユーザ端末機から、会議ルーム入室信号を受信した場合、会議サービス提供サーバ１００は、第１ユーザ端末機に会議ルーム進行画面を提供する。もしそうではない場合には、会議サービス提供サーバ１００は、第１ユーザ端末機に、会議状態画面を提供するか、あるいは第１ユーザ端末機が会議サービスを終了するように制御する。
【０１１３】
図１０は、本発明の実施形態による、会議サービス提供装置及びサーバが提供する会議リスト画面の一例である。
【０１１４】
会議サービス提供装置及びサーバは、１人のユーザを構成員にする１以上の会議情報を含む会議リスト画面８００を表示することができる。前記会議リスト画面８００は、進行中の第１会議ルームに係わる情報８０１、終了した会議に係わる情報８０２，８０３，８０４を含み、会議ルーム追加ボタン８０５をさらに含んでもよい。終了した第２会議８０２は、構成員を３人含んでいるので、３に分割されたイメージを代表イメージとして表示することができる。終了した第３会議８０３は、構成員を４人含んでいるので、４に分割されたイメージを代表イメージとして表示することができる。各領域は、構成員のプロフィール情報を含んでもよい。
【０１１５】
図１１は、本発明の実施形態による、会議サービス提供装置及びサーバが提供する会議進行画面の一例である。
【０１１６】
会議進行画面９００は、構成員の情報を、図１０のように個別のアイコンで表示することができる。会議ルームに含まれた構成員のうち対話をしているユーザを区分するために、対話者のアイコンを対話アイコン９０１で表示することができる。また、現在対話中のユーザの情報、すなわち、対話者の情報を上端に別途に表示する（９０２）。会議進行画面９００は、下端に、会議進行時間９０３、会議非活性ボタン９０４、スピーカモード９０５を含んでもよい。
【０１１７】
図１２（ａ）及び（ｂ）は、本発明の実施形態による、会議サービス提供装置及びサーバが提供する会議招待メッセージの再発送過程に係わる画面である。
【０１１８】
会議サービス提供装置及びサーバは、会議ルームに含まれた構成員のうち１人Kibum Kimに対して、会議招待メッセージの再発送を提供することができる（１０００）。会議サービス提供装置及びサーバは、会議招待メッセージに含まれるメッセージを修正する機能を提供しもする。会議サービス提供装置及びサーバは、会議招待メッセージを直接入力して送信しもする（１００１）。
【０１１９】
図１３（ａ），（ｂ），（ｃ）及び（ｄ）は、本発明の実施形態による会議サービス提供装置が提供する退室リクエスト過程に係わる画面である。
【０１２０】
会議サービス提供装置は、会議進行画面１１００に含まれた構成員のリストのうち１人を選択して退室命令が入力されるようにする。会議サービス提供装置は、構成員選択イベント１１０１を受けて、会議ルーム編集メニューを提供するポップアップ窓を表示することができる。前記ポップアップ窓において、ユーザが会議ルーム編集メニューを選択すれば、会議サービス提供装置は、構成員の全部または一部を退室させることができる選択画面１１０３を提供する。会議サービス提供装置は、ユーザの選択イベント１１０４を受けて、構成員である「お前はだれだ」を退室させるポップアップ窓を表示することができる（１１０５）。図１３に図示されているように、会議ルームに含まれただれでも、構成員のうち全部または一部を前記会議ルームから退室させることができる。
【０１２１】
以上で説明した本発明による実施形態は、コンピュータ上で多様な構成要素を介して実行されるコンピュータプログラムの形態によって具現され、かようなコンピュータプログラムは、コンピュータ可読媒体に記録される。このとき、該媒体は、ハードディスク、フロッピー（登録商標）ディスク及び磁気テープのような磁気媒体；ＣＤ（compact disc）−ＲＯＭ（read only memory）及びＤＶＤ（digital versatile disc）のような光記録媒体；フロプティカルディスク（floptical disk）のような磁気・光媒体（magneto-optical medium）；及びＲＯＭ、ＲＡＭ（random access memory）、フラッシュメモリのような、プログラム命令語を保存して実行するように特別に構成されたハードウェア装置；を含んでもよい。さらに、該媒体は、ネットワーク上で送信可能な形態によって具現される無形の媒体を含み、例えば、ソフトウェア形態またはアプリケーション形態に具現され、ネットワークを介して送信及び流通が可能な形態の媒体でもある。
【０１２２】
一方、前記コンピュータプログラムは、本発明のために特別に設計されて構成されたものでもあり、コンピュータソフトウェア分野の当業者に公知されて使用可能なものでもある。コンピュータプログラムの例としては、コンパイラによって作われるような機械語コードだけではなく、インタープリタなどを使用して、コンピュータによって実行される高級言語コードも含まれる。
【０１２３】
本発明で説明する特定実行は、一実施形態であり、いかなる方法によっても、本発明の範囲を限定するものではない。明細書の簡潔さのために、従来の電子的な構成、制御システム、ソフトウェア、前記システムの他の機能的な側面の記載は省略される。また、図面に図示された構成要素間の線の連結または連結部材は、機能的な連結、及び／または物理的または回路的な連結を例示的に示したものであり、実際の装置では、代替可能であったり追加されたりする多様な機能的な連結、物理的な連結または回路連結として示される。また、「必須な」、「重要に」というように、具体的な言及がなければ、本発明の適用のために、必ずしも必要な構成要素ではないこともある。
【０１２４】
本発明の明細書（特に、特許請求の範囲）において、「前記」の用語、及びそれと類似した指示用語の使用は、単数及び複数のいずれもに該当する。また、本発明において、範囲（range）を記載した場合、前記範囲に属する個別的な値を適用した発明を含むものであり（それに反する記載がなければ）、発明の詳細な説明に、前記範囲を構成する各個別的な値を記載した通りである。最後に、本発明による方法を構成するステップについて明白に順序を記載したり、それに反したりする記載がなければ、前記ステップは、適する順序で実行されるのである。必ずしも前記ステップの記載順序によって、本発明が限定されるものではない。本発明において、全ての例または例示的な用語（例えば、など）の使用は、単に本発明について詳細に説明するためのものであり、特許請求の範囲によって限定されない以上、前記例または例示的な用語によって、本発明の範囲が限定されるものではない。また、当業者は、多様な修正、組み合わせ及び変更が付加された特許請求の範囲またはその均等物の範疇内で、設計条件及びファクタによって構成されるということが分かるであろう。
【産業上の利用可能性】
【０１２５】
本発明の会議サービス提供方法及びそのコンピュータプログラムは、例えば、多地点会議関連の技術分野に効果的に適用可能である。
【符号の説明】
【０１２６】
１０    会議サービス提供システム
１００    会議サービス提供サーバ
１１０，２１０    制御部
１１１    リクエスト受信部
１１２，２１２    会議ルーム制御部
１１３    ファイル受信部
１１４，２１４    状態制御部
１１５，２１５    表示制御部
１３０，２５０    保存部
１２０，２２０    通信部
２００    会議サービス提供装置
２０１，２０３     パソコン
２０２，２０４    携帯用端末
２３０    表示部
２４０    入力部
２６０    音響出力部
２００    会議サービス提供装置
３００    通信網
【図１】
2020127216.tif 000003
【図２】
2020127216.tif 000004
【図３】
2020127216.tif 000005
【図４】
2020127216.tif 000006
【図５】
2020127216.tif 000007
【図６】
2020127216.tif 000008
【図７】
2020127216.tif 000009
【図８】
2020127216.tif 000010
【図９】
2020127216.tif 000011
【図１０】
2020127216.tif 000012
【図１１】
2020127216.tif 000013
【図１２】
2020127216.tif 000014
【図１３】
2020127216.tif 000015
【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
複数の端末と通信する情報処理装置のプログラムであって、
複数の端末に対して、前記複数の端末のユーザ間でのグループ通話に招待する招待情報を、前記情報処理装置の通信部によって送信することと、
前記複数の端末から前記グループ通話への参加を受け付けることと、
前記招待情報の送信先の端末に対応するユーザの情報を、当該ユーザがグループ通話に参加しているか否かが区別可能な態様で表示するための状態情報を前記通信部によって送信することと、
を前記情報処理装置に実行させるためのプログラム。
【請求項２】
請求項１に記載のプログラムであって、
前記状態情報は、前記ユーザが前記グループ通話で発言しているか否かを示す情報を含む。
【請求項３】
請求項１または請求項２に記載のプログラムであって、
ユーザの端末から、グループ通話に参加するユーザを指定するユーザ指定情報を前記通信部によって受け付けることと、
前記ユーザ指定情報に基づいて、前記招待情報を、前記ユーザ指定情報で指定されるユーザの端末に送信することとを前記情報処理装置に実行させる。
【請求項４】
複数の端末と通信する情報処理装置であって、
通信部と、受付部とを備え、
前記通信部は、複数の端末に対して、前記複数の端末のユーザ間でのグループ通話に招待する招待情報を送信し、
前記受付部は、前記複数の端末から前記グループ通話への参加を受け付け、
前記通信部は、前記招待情報の送信先の端末に対応するユーザの情報を、当該ユーザがグループ通話に参加しているか否かが区別可能な態様で表示するための状態情報を送信する。
【請求項５】
複数の端末と通信する情報処理装置の情報処理方法であって、
複数の端末に対して、前記複数の端末のユーザ間でのグループ通話に招待する招待情報を、前記情報処理装置の通信部によって送信することと、
前記複数の端末から前記グループ通話への参加を受け付けることと、
前記招待情報の送信先の端末に対応するユーザの情報を、当該ユーザがグループ通話に参加しているか否かが区別可能な態様で表示するための状態情報を前記通信部によって送信することとを含む。
【請求項６】
複数の端末と情報処理装置を含む通信システムであって、
前記情報処理装置は、
第１通信部と、受付部とを備え、
前記第１通信部は、複数の端末に対して、前記複数の端末のユーザ間でのグループ通話に招待する招待情報を送信し、
前記受付部は、前記複数の端末から前記グループ通話への参加を受け付け、
前記第１通信部は、前記招待情報の送信先の端末に対応するユーザの情報を、当該ユーザがグループ通話に参加しているか否かが区別可能な態様で表示するための状態情報を前記グループ通話に参加している端末に送信し、
前記端末は、第２通信部と、表示部と、を備え、
前記第２通信部は、前記招待情報を受信し、
前記グループ通話への参加を要求する要求情報を送信し、
前記状態情報を受信し、
前記表示部は、前記状態情報に基づいて、前記招待情報の送信先の端末に対応するユーザの情報を、当該ユーザがグループ通話に参加しているか否かが区別可能な態様で表示する。